(57)【特許請求の範囲】
【請求項１】
建物内の敷地に沿って複数本の支柱を立設し、当該支柱間にパネル体を取付けることにより構成される仮囲いであって、
上記パネル体を第１のパネルと第２のパネルにより構成し、
該第１のパネル板面に、その一面側に突出し、他面側に凹状となるような上下方向係合溝を設けると共に、
上記第２のパネルにおける上記第１のパネルに対向する一面に、上記第１のパネルの係合溝に上下方向には摺動可能でかつパネル面に直交する方向には抜け止めされた状態で係合し得る係合凸部を設け、
上記第２のパネルの係合凸部を上記第１のパネルの上記係合溝に係合して両パネルを連結した状態において、上記第１又は第２のパネルに対して他方のパネルを上下方向に摺動可能に構成したことを特徴とする仮囲い。
【請求項２】
上記第１のパネルの上記上下方向係合溝を該パネルに複数設け、上記第２のパネルの一面側には上記上下方向係合溝に対応する各位置に上記係合凸部を設けたものであることを特徴とする請求項１記載の仮囲い。
【請求項３】
上記上下方向係合溝は、上記第１のパネル一面側に末広がり状に突出する一対の側板部と該側板部を連結する平板部により横断面略台形状に形成されたものであり、
上記第２のパネルの係合凸部は、上記係合溝に係合可能な横断面略台形状に形成されたものであることを特徴とする請求項１又は２に記載の仮囲い。
【請求項４】
上記第１のパネルの他面側に上記第２のパネルの一面に接触し得る上下方向突条を設けたものであることを特徴とする請求項１〜３の何れかに記載の仮囲い。
【請求項５】
上記支柱を上面開口部を有する筒状の第１の柱と、当該柱に該上面開口部から挿通可能な筒状の第２の柱により構成し、上記第２の柱を上記第１の柱の上面開口部から当該第１の柱内に挿通して上記第１又は第２の柱に対して他方の柱を上下方向摺動可能としたものであることを特徴とする請求項１〜４の何れかに記載の仮囲い。
【請求項６】
板面の幅方向両端部に折り曲げ部を有する横断面略「コ」字状のランナーを、上記折り曲げ部が対向するように天井面及び床面に設置し、上記支柱をその上下端部が上記天井面側及び床面側の上記ランナーの折り曲げ部間に配設されるように立設し、かつ上記パネル体を上記ランナーの何れかの折り曲げ部を介して上記支柱に固定したものであることを特徴とする請求項１〜５の何れかに記載の仮囲い。
【発明の詳細な説明】
【０００１】
【発明の属する技術分野】
本発明は、例えばビル内の店舗等の改装工事等において用いられる仮囲いに関するものである。
【０００２】
【従来の技術】
現在、ビル等の店舗の改装工事等において、工事中の店舗内と外部とを遮蔽するための仮囲いを設けることが行われている。この仮囲いは、上記店舗内の敷地と敷地外との境界部分に沿って天井面から床面に至る壁面パネル（鉄板製或いはベニヤ板製等）を立設して店舗内と外部とを遮蔽するものである。
【０００３】
【発明が解決しようとする課題】
ところで、上記従来の仮囲いは、工事現場の天井高さ、店舗敷地面積に合わせて現場で鉄板等を切断等加工し、現場寸法に合わせた壁面パネルを製造し、当該現場にて仮設するものであったため、再使用することが困難であり、店舗改装工事終了後は、仮囲いを解体し、廃棄処分としており、改装工事全体のコスト増を招いていた。
【０００４】
本発明は、上記従来の課題に鑑みてなされたものであり、現場の天井高さ、店舗面積等に合わせて現場にて容易に組立て可能であって、しかも解体後は再利用可能とすることにより、工事全体のコスト低減等、省資源等を実現し得る仮囲いを提供することを目的とする。
【０００５】
【課題を解決するための手段】
上記の目的を達成するため本発明は、
建物内の敷地に沿って複数本の支柱を立設し、当該支柱間にパネル体を取付けることにより構成される仮囲いであって、上記パネル体を第１のパネルと第２のパネルにより構成し、該第１のパネル板面に、その一面側に突出し、他面側に凹状となるような上下方向係合溝を設けると共に、上記第２のパネルにおける上記第１のパネルに対向する一面に、上記第１のパネルの係合溝に上下方向には摺動可能でかつパネル面に直交する方向には抜け止めされた状態で係合し得る係合凸部を設け、上記第２のパネルの係合凸部を上記第１のパネルの上記係合溝に係合して両パネルを連結した状態において、上記第１又は第２のパネルに対して他方のパネルを上下方向に摺動可能に構成したことを特徴とする仮囲いにより構成されるものである。
【０００６】
上記第１のパネル及び第２のパネルは、例えば各々基礎パネル（２）及びアジャストパネル（３）等により構成することができる。上記上下方向係合溝は、例えば基礎パネル前面側に設けられた横断面略台形状の上下方向係合溝（１１，１２，１３）等により構成することができる。上記係合凸部は、例えばアジャストパネル（３）前面に設けられた横断面略台形状の上下方向係合凸部（１１’、１２’、１３’）により構成することができる。上記第１又は第２のパネルに対して他方のパネルを上下方向に摺動可能とすることにより、現場の天井高さに合わせてパネル体の高さを調整することができる。
【０００７】
また、上記第１のパネルの上記上下方向係合溝を該パネルに複数設け、上記第２のパネルの一面側には上記上下方向係合溝に対応する各位置に上記係合凸部を設けたものであることが好ましい。
【０００８】
上記上下方向係合溝は、例えば基礎パネル（２）の中央と両側部の３箇所（１１〜１３）に設け、上記係合凸部は例えばアジャストパネル（３）における上記係合溝（１１〜１３）に対応する３ヶ所（１１’〜１３’）に設けることが好ましいが、より少ない数、より多い数の係合溝、係合凸部を設けても良い。
【０００９】
また、上記上下方向係合溝は、上記第１のパネル一面側に末広がり状に突出する一対の側板部と該側板部を連結する平板部により横断面略台形状に形成されたものであり、上記第２のパネルの係合凸部は、上記係合溝に係合可能な横断面略台形状に形成されたものであることが好ましい。
【００１０】
従って、上記第１のパネルの係合溝（１１〜１３）に第２のパネルの係合凸部（１１’〜１３’）を係合することにより、両パネル（２，３）を上下方向には摺動可能でかつパネル面に直交する方向には抜け止めされた状態で連結することができる。
【００１１】
また、上記第１のパネルの他面側に上記第２のパネルの一面に接触し得る上下方向突条を設けることが好ましい。
【００１２】
従って、上下方向突条（２０ａ、２０ｂ）の高さを適宜設定することにより第１のパネル（２）と第２のパネル（３）を近接配置することができ、これにより仮囲い（１）内側の工事現場と仮囲い（１）外部とを効果的に遮蔽することができる。
【００１３】
上記支柱を上面開口部を有する筒状の第１の柱と、当該柱に該上面開口部から挿通可能な筒状の第２の柱により構成し、上記第２の柱を上記第１の柱の上面開口部から当該第１の柱内に挿通して上記第１又は第２の柱に対して他方の柱を上下方向摺動可能に構成したものであることが好ましい。
【００１４】
従って、現場の天井高さに応じて支柱（４）の高さ、及びパネル体（Ａ）の高さを調整することができ、現場の天井高さに適合した仮囲い（１）を構成することができる。
【００１５】
また、板面の幅方向両端部に折り曲げ部を有する横断面略「コ」字状のランナーを、上記折り曲げ部が対向するように天井面及び床面に設置し、上記支柱をその上下端部が上記天井面側及び床面側の上記ランナーの折り曲げ部間に配設されるように立設し、かつ上記パネル体を上記ランナーの何れかの折り曲げ部を介して上記支柱に固定するように構成することが好ましい。
【００１６】
従って、パネル体（Ａ）の上部と下部等を、リベット等で、各々天井側ランナー（８）及び床面側ランナー（９）の、例えば前方側の折り曲げ部（８ａ），（９ａ）を介して、支柱（４）に固定することができる。このように構成することで、両ランナー（８，９）に沿って支柱（４）及びパネル体（Ａ）を容易に仮設することができる。
【００１７】
尚、本項において本発明の構成に対応して実施形態における符号をかっこ書で示したが、これは対応関係を明確にするために便宜上付したものであり、本発明の構成がこれらの符号で示される部材に限定されないことは勿論である。
【００１８】
【発明の実施の形態】
以下、本発明の実施の形態を詳細に説明する。図１は、本発明に係る仮囲い１の正面図、図２は該仮囲い１の分解斜視図を示すものであり、当該仮囲い１は、全体が長方形状であって上下方向係合溝１１，１２，１３を有する基礎パネル（第１のパネル）２、当該基礎パネル２の上記係合溝１１，１２，１３に上下方向係合凸部１１’、１２’、１３’を以って上下方向に摺動自在に係合された長方形状のアジャストパネル３（第２のパネル）（以下、基礎パネル２及びアジャストパネル３をあわせてパネル体Ａという）、支柱４を構成するものであって、横断面略正方形状の上面開口基礎角柱（第１の柱）５、該基礎角柱５上面から当該角柱５内に挿入されるものであって、上記基礎角柱５に対して上下方向摺動可能なアジャスト角柱（第２の柱）６、当該アジャスト角柱６上面から当該角柱６に被覆された補強用角柱７、現場の店舗等の天井面Ｓにおいて、上記パネル体Ａを取り付ける取付け位置に沿って設置される横断面「コ」字状の天井側ランナー８、該天井側ランナー８に対応する現場の床面上に載置される横断面「コ」字状の床面側ランナー９、該基礎パネル２の後面２”側における上記角柱５の対向位置に取付けられるスペーサー板１０により構成されるものである。
【００１９】
上記基礎パネル２は、全体が幅Ｗ（例えば９００ｍｍ）、高さＨ（例えば１８２０ｍｍ）、厚みが例えば２ｍｍの長方形状をなすようにアルミ押出成形により形成されたものであり、その上辺２ａから下辺２ｂに亘って、その前面２’側（一面側）に突出し、後面２”側（他面側）に凹状となるような横断面略台形状の上下方向係合溝１１，１２，１３がパネル板面と一体的に形成されている（図３参照）。この係合溝１１，１２，１３は各々同一の形状をなすものであるため、係合溝１２についてその形状を詳述すると、図５（ｂ）に示すように上記パネル２の前面２’側から平面視末広がり状に前方向に折曲成形された一対の側板部１１ａ，１１ａと、当該側板部１１ａ，１１ａ前端縁を連結する平板部１１ｂからなり、上記側板部１１ａ，１１ａと上記パネル２前面２’との成す角θは９０度より小さい鋭角（本実施形態では８０度）となるように形成されている。即ち、当該係合溝１１，１２，１３は前面２’から前方向に高さｔ１（例えば８ｍｍ）で突出形成されており、上記平板部１１ｂの左右方向幅（内幅ｔ２（例えば１５ｍｍ））の方が上記側板部１１ａ，１１ａの基端部の左右方向幅（内幅ｔ３）より広くなるように形成されている。
【００２０】
上記基礎パネル２はこのような上下方向係合溝１２がその板面に３箇所、即ち、上下方向係合溝１２が板面中央部に設けられていると共に、上下方向係合溝１１、１３が各々パネル２の両側辺２ｃ，２ｃ近傍に設けられており、上記両側辺２ｃ，２ｃ側の係合溝１１、１３とパネル側辺２ｃ，２ｃとの間には上記支柱４にリベット止めするための取付平板部２ｄ，２ｄが設けられている。
【００２１】
また、上記基礎パネル２の上記側板部１１ａ，１１ａ基端部に対応する後面２”には、上下方向突条２０ａ，２０ｂが後方に突出するように上下方向に直線的に設けられている（図６参照）。この突条２０ａ，２０ｂは、上記アジャストパネル３の係合凸部１２’等を上記係合溝１２等内に挿通して両パネルを係合したとき、その突条２０ａ，２０ｂ後端が上記アジャストパネル３の前面３’に当接して両パネル間に間隔ｔ４（例えば約０．５ｍｍ）のスペースを設けるためのものである（図７参照）。従って、この突条２０ａ，２０ｂの高さは約０．５ｍｍ程度となるように形成することが好ましいが、より高く、或いはより低く形成しても良く、この突条２０ａ，２０ｂの高さを低く形成することにより、上記基礎パネル２後面２”と上記アジャストパネル３前面３’をより近接して連結することができる。
【００２２】
上記アジャストパネル３は、図５（ａ）に示すように、基本的には上記基礎パネル２と同様の形状をなすものであり、該基礎パネル２と同様、アルミ押出成形により形成されるものである。その高さＨ及び幅Ｗは上記基礎パネル２と同一であり、その板面の上辺３ａから下辺３ｂに亘って、上記基礎パネル２の上記上下方向係合溝１１，１２，１３の対応位置に当該係合溝１１，１２，１３に係合可能な横断面略台形状の上下方向係合凸部１１’，１２’，１３’が設けられている。尚、上記アジャストパネル３の高さＨは上記基礎パネル２の高さＨと同一に限らず、より短く形成しても良い。
【００２３】
この係合凸部１１’，１２’，１３’は、上記基礎パネル２の係合溝１１，１２，１３に上下方向には摺動可能でかつパネル面に直交する方向には抜け止めされた状態で係合し得る形状を有するものであり、これらの係合凸部１１’、１２’、１３’は各々同一形状であるので係合凸部１２’についてその形状を詳述すると、図５（ａ）に示すように、当該係合凸部１２’は上記係合溝１２内にその上部から挿通可能なように横断面略台形状に該パネル３と一体的に形成されており、この係合凸部１２’は上記パネル３の前面３’側（一面側）から前方向に平面視末広がり状に突出形成された側部１１ａ’，１１ａ’と、前面側の平面部１１ｂ’から形成されている。そして、これら上下方向係合凸部１１’、１２’、１３’は上記基礎パネル２の上記係合溝１１，１２，１３内にその上方又は下方側から係合可能なように、側部１１ａ’，１１ａ’と上記パネル３前面３’との成す角θは、上記基礎パネルの角度θと略同一角度（本実施形態では８０度）となっており、上記平面部１１ｂ’の左右方向外幅ｔ２’は上記基礎パネル２の平板部１１ｂの上記内幅ｔ２より若干小さい幅を有しており、上記側部１１ａ’，１１ａ’の基端部の左右方向外幅ｔ３’は上記基礎パネル２の上記基端部の左右方向幅ｔ３よりも若干小さい幅となるように形成されている。
【００２４】
また、上記アジャストパネル３の上下方向係合凸部１１’，１２’，１３’の突出高さｔ１’は、図７に示すように、上記係合溝１１，１２，１３に係合したときに、当該係合溝１２の平板部１１ｂ裏面と、上記係合凸部１２’の平面部１１ｂ’間に、ｔ５（例えば約０．５ｍｍ）の間隙が生じるような高さとなるように形成されている。上記アジャストパネル３はこのような上下方向係合凸部１２’がその前面３’の上記基礎パネル２の係合溝１１〜１３に対応する位置、即ち、係合凸部１２’が板面中央部に設けられていると共に、係合凸部１１’、１３’が各々パネル３の両側辺３ｃ，３ｃ近傍に設けられており、上記両側辺３ｃ，３ｃ側の係合溝１１’、１３’とパネル側辺３ｃ，３ｃとの間には上記支柱４にリベットＲ止めするための取付平板部３ｄ，３ｄが設けられている。
【００２５】
従って、上記アジャストパネル３の３つの上下方向係合凸部１１’〜１３’をその下辺３ｂ側から上記基礎パネル２の上辺２ａ側の上下方向係合溝１１〜１３に位置あわせして、上記上下方向係合凸部１１’〜１３’を上記上下方向係合溝１１〜１３内にその上面側から挿入することで、図３に示すように、上記係合溝１１〜１３、上記係合凸部１１’〜１３’を係合させることができ、この状態で基礎パネル２の後面２”の上下方向突条２０ａ，２０ｂの後端とアジャストパネル３の前面３’を接触させた状態で、上記基礎パネル２に対して上記アジャストパネル３を上下方向にスライドし得るように構成されている。
【００２６】
上記各上下方向係合溝１１〜１３、上下方向係合凸部１１’〜１３’は、横断面略台形状に形成してあるため、上記係合溝１１〜１３及び係合凸部１１’〜１３’を係合することで、両パネル２，３を前後方向（パネル面に直交する方向）に抜け止めされた状態でかつ上下方向にスライド可能に係合することができる。またこの係合状態では、上記基礎パネル２後面２”の上下方向突条２０ａ，２０ｂの後端のみが上記アジャストパネル３の前面３’に接触した状態となるため、両パネル間の摺動抵抗を少なくすることができ、両パネルの係合状態で基礎パネル２又はアジャストパネル３に対して他方のパネル（アジャストパネル３又は基礎パネル２）をスムーズに摺動することができると共に、基礎パネル２後面２”とアジャストパネル３前面３’との間隔（約０．５ｍｍ）が極めて狭いため、基礎パネル２とアジャストパネル３を近接配置することができ、これにより、仮囲い１内側の工事現場と仮囲い１外側の通路等を効果的に遮蔽することができる。
【００２７】
上記天井側ランナー８は、長方形状の鉄板、アルミ板等の板状部材の本体部８’の幅方向両端部を互いに同一方向に直角に折り曲げて折り曲げ部８ａ，８ａを形成することにより横断面略「コ」字状に形成されたものであり、上記折り曲げ部８ａ，８ａが下方を向く状態で、店舗等における仮囲いの取付け位置に沿って天井面Ｓにその本体部８’をビス１５により取付けられるものである。また、上記ランナー８の折り曲げ部８ａ，８ａ間の間隔は、一辺の幅ｔ６の上記補強用角柱７が上記折り曲げ部８ａ，８ａ間に係合し得るような間隔（幅ｔ６と略同一の間隔）を有するものである（図４参照）。
【００２８】
上記床面側ランナー９は、上記天井側ランナー８と同一形状の横断面略「コ」字状に形成されたものであり、本体部９’と当該本体部９’の幅方向の両側部に直角に折り曲げられた折り曲げ部９ａ，９ａが形成され、その折り曲げ部９ａ，９ａの間隔は、上記折り曲げ部９ａ，９ａ間に一片の幅ｔ６の上記上面開口基礎角柱５が係合し得る間隔（幅ｔ６と略同一の間隔）を有するものである（図４参照）。尚、これらランナー８，９もアルミ押し出し成形により形成しても良い。
【００２９】
上記上面開口基礎角柱５は、上面に開口部５ａを有する横断面略正方形状（一辺の長さｔ６（例えば４５ｍｍ））の筒状の部材であり、アルミ押出成形により成形されている。当該基礎角柱５はその下端部を上記床面側ランナー９の折り曲げ部９ａ，９ａ間における本体９’上に立設されるものである。
【００３０】
上記アジャスト角柱６は、同じくアルミ押出成形により成形され上記基礎角柱５と略同一の長さを有する横断面略正方形状の筒状の部材である。当該アジャスト角柱６は、上記基礎角柱５の上面開口部５ａから当該角柱５内に挿入し得るようにその一辺の幅ｔ７（＜ｔ６）が形成されており、当該アジャスト角柱６を上記基礎角柱５内に挿入することで、上記アジャスト角柱６又は基礎角柱５に対して他方の角柱（基礎角柱５又はアジャスト角柱６）を上下方向に摺動可能となるように構成されている。
【００３１】
上記補強用角柱７は、下面に開口部７ａを有する横断面正方形状の筒状の部材であり、上記アジャスト角柱６にその上面から被覆することで上記アジャスト角柱６の上部を補強するものである。かかる補強各柱７の一辺の幅は上記基礎角柱５の一辺の幅ｔ６と同一となるように形成されており、当該補強角柱７を上記アジャスト角柱６の上部に被せることで、その前面７ｂと上記基礎角柱の前面５ｃとが同一平面上に位置するように構成されている。
【００３２】
上記スペーサ板１０は、上記アジャストパネル３と略同じ厚みを有する板状部材であり、上記基礎パネル２の後面２”側における上記基礎角柱５に対応する位置に取付けられるものである。図４に示すように、基礎パネル２とアジャストパネル３の連結状態においては上記アジャストパネル３が略その厚み分及び上下方向突条２０ａ，２０ｂの厚み分だけ基礎パネル２後方側に位置する構成となるため、当該パネル体Ａを垂直に立ててた状態でアジャストパネル３の後面３”を上記天井側ランナー８の前面側折り曲げ部８ａに接触させると、基礎パネル２の後面２”下部と上記床面側ランナー９の前面側折り曲げ部９ａ間に上記厚み分の空隙が生じるため、かかる空隙間に当該スペーサー板１０を挿入して当該パネル２の後面２”下端部を上記床面側ランナー９の前面側折り曲げ部９ａに確実に接触させた状態で安定して取付け可能としたものである。
【００３３】
本発明は上述のように構成されるものであるから、当該仮囲いを仮設するには、まず、店舗等の工事現場と当該店舗外部との境界部分（図１０の境界部分Ｂ）に沿う天井面に天井側ランナー８を宛がい、該ランナー８の本体部８’から天井面にビス１５を打ち込んで、当該ランナー８を天井面に固定する。また、上記天井側ランナー８に対応する床面Ｇ上に床面側ランナー９を設置して当該ランナー９の本体９’から床面Ｇにビス１５’を打ち込んで当該ランナー９を床面に固定する。勿論、これらのランナー８、９は現場の境界部分Ｂの長さに応じて、複数のランナー８，９を直列的に設けても良いし、当該ランナー８，９より長いランナーを使用しても良い。尚、上記ランナー８，９は、ビス止め以外にも、両面テープで接着しても良い。
【００３４】
次に、上面開口基礎角柱５の開口部５ａから当該角柱５内にアジャスト角柱６を挿入して両角柱５，６を適当位置まで重合させ、かつ該アジャスト角柱６上端部から当該角柱６に補強角柱７を被覆して支柱４を形成し、当該支柱４を上記床面側ランナー９における本体９’上に立設する。このとき、基礎角柱５下部は上記床面側ランナー９の折り曲げ部９ａ，９ａ間に略隙間なく係合した状態となる（図４参照）。
【００３５】
次に、上記アジャスト角柱６を上記基礎角柱５に対して上方にスライドし、上記補強角柱７の上面（上端部）７ｃが上記天井側ランナー８の本体部８’に接触するまで上記アジャスト角柱６を上昇させ、補強角柱７の上面を上記天井側ランナー８に接触させた突っ張り状態で、基礎角柱５とアジャスト角柱６の重合部分Ｑをビス２１等で固定する（図２参照）。当該補強角柱７の上面７ｃが上記本体部８’に接触した状態では、上記補強角柱７は上記天井側ランナー８の折り曲げ部８ａ，８ａ間に隙間なく係合した状態となり、当該支柱４は上記ランナー８，９間に突っ張り状態で自立した状態となるので（図１、図４参照）、かかる状態で次の工程に移行する。そして、同様の方法で、上記支柱４から心心距離で上記パネルの横幅Ｗよりも若干広い距離Ｗ’（支柱４，４の心線Ｐ−Ｐ間距離）を隔てた位置に、支柱４を設置していく（図１、図１０参照）。尚、支柱４の仮設本数は現場の境界部分の長さに応じて増減すれば良い。尚、上記支柱４の突っ張り状態で上記天井側ランナー８を支持できる場合は、上記天井側ランナー８のビス１５或は両面テープ等は必ずしも用いる必要はない。
【００３６】
次に、基礎パネル２の上辺２ａ側にアジャストパネル３の下辺側３ｂを宛がい、上下方向係合溝１１〜１３と上下方向係合凸部１１’〜１３’を位置合わせして、基礎パネル２の上下方向係合溝１１，１２，１３内にアジャストパネル３の上下方向係合凸部１１’、１２’、１３’を挿入係合していき、当該アジャストパネル３を基礎パネル２の後面側に係合し、両パネルを適当位置まで重合させパネル体Ａを構成する。その後、基礎パネル２に対してアジャストパネル３を上下方向に摺動し、パネル体Ａの全体の高さＨ’が現場の天井高さに一致するように調整し、この段階で、両パネルの重合部分Ｑ’をビス２１等で固定する。また、上記基礎パネル２の後面２”下端部の上記基礎角柱５に対応する位置には予めスペーサ板１０をビス止め等により取付けておく。
【００３７】
そして、かかる状態のパネル体Ａの両側辺２ｃ，２ｃ及び３ｃ、３ｃが上記支柱４，４の心線Ｐ、Ｐに沿うように上記両支柱４，４間に立て掛けて宛がい、上記基礎パネル２の下辺２ｂを床面に設置し、上記アジャストパネル３の上辺３ａを天井面に接触させ、かつ上記アジャストパネル３の左右両端部を上記補強角柱７の前面７ｂ及び基礎角柱５の前面５ｃに接触させ、基礎パネル２の後面２”の下端部におけるスペーサー板１０を床面側ランナー９の前面側折り曲げ部９ａに接触させた状態で、当該パネル体Ａを上記支柱４、４にリベットＲ止めする。
【００３８】
即ち、アジャストパネル３の両側の取付平板部３ｄ、３ｄ上方位置２箇所（リベット止め位置ａ，ａ’、図１参照），基礎パネル２の両側の取付平板部２ｄ、２ｄ上方位置２箇所（リベット止め位置ｂ、ｂ’）、さらに基礎パネル２の上記取付平板部２ｄ、２ｄの下方位置２箇所（リベット止め位置ｃ，ｃ’）の計６箇所をリベット止めして当該パネル体Ａを、上記折り曲げ部（８ａ，９ａ）を介して上記支柱４，４に固定する。
【００３９】
これにより、上記リベット止め位置ａ’では、図８（ａ）に示すように、上記アジャストパネル３、上記折り曲げ部８ａ，上記補強角柱７及びアジャスト角柱６がリベットＲにより強固に固定され、同図（ｂ）に示すように、上記リベット止め位置ｂ’では、上記基礎パネル２、アジャストパネル３、基礎角柱５、及びアジャスト角柱６がリベットＲにより強固に固定される。さらに、同図（ｃ）に示すように、上記リベット止め位置ｃ’では、基礎パネル２、スペーサ板１０、折り曲げ部９ａ、及び基礎角柱５がリベットＲにより強固に固定される。尚、上記リベット止め位置ａ〜ｃにおいても同様である。
【００４０】
さらに、アジャストパネル３の上辺３ａ近傍のリベット止め位置ｄ及び基礎パネル２の下辺２ｂ近傍のリベット止め位置ｅの２箇所をリベットＲ止めする。即ち、図９（ａ）に示すようにアジャストパネル３と天井側ランナー８の折り曲げ部８ａをリベットＲで固定し、同図（ｂ）に示すように基礎パネル２と床面側ランナー９の折り曲げ部９ａをリベットＲで固定する。
【００４１】
その後は、上記と同様の手順により、次のパネル体Ａを上記支柱４の心線Ｐに合わせて順次当該柱に取付けていけば良い。即ち、次のパネル体Ａの左右両側辺２ｃ、３ｃを支柱４の心線Ｐにあわせて既に設置したパネル体Ａに隣接して順次支柱４に取付けていく。尚、このとき、隣接するパネル体Ａ間に隙間Ｔ（約２ｍｍ程度）を設けることが好ましい（図３参照）。このようにして、パネル体Ａを順次支柱４間に取付けていき、最終的には図１０に示すように例えば店舗等の敷地Ｍの周囲に「コ」字状に仮囲い１を構成することができる。尚、仮囲い１の全体形状は「コ」字状に限らず、現場の状況に合わせて「ロ」字状、「Ｌ」字状或いは一直線状等各種の形状の仮囲いを仮設することができる。
【００４２】
かかる仮囲い１においては、パネル体Ａの基礎パネル２の後面２”とアジャストパネル３の前面３’が近接（約０．５ｍｍ）しており、両パネル２，３間の間隔が極めて小さいので、仮囲い１内の粉塵等の仮囲い１外部への流出を効果的に防止することができる。また、支柱４の上下端部は天井側ランナー８及び床面側ランナー９の各折り曲げ部８ａ，９ａに隙間なく係合した状態となるので、当該ランナー８、９部分から粉塵等が仮囲い１外部に漏れることもなく、また、各ランナー８，９の前方側折り曲げ部８ａ，９ａの前面側にパネル体Ａ（基礎パネル２下側、アジャストパネル３上側）を結合する構成なので、当該結合部においても仮囲い１内側と外側を効果的に遮蔽することができる。
【００４３】
店舗内の改装工事等が終了した場合は、各リベット止め部分（ａ，ａ’，ｂ、ｂ’，ｃ、ｃ’、ｄ，ｅ）のリベットＲを取り外し、パネル体Ａを各支柱４から取り外し、ビス２１を取り外して基礎パネル５からアジャストパネル３を抜き出して両パネル２，３を分離し、さらに、柱のビス２１を取り外してアジャスト角柱６を基礎角柱５内に若干挿入して天井側ランナー８、床面側ランナー９から当該柱４を取り外し、当該柱４から補強角柱７を取り外し、基礎角柱５からアジャスト角柱６を抜き取って当該支柱４を分解し、かつ床面側ランナー９の取付けビス１５’を取り外して床面側ランナー９を床面から取り外し、さらに天井側ランナー８の取付けビス１５を取り外して当該ランナー８を天井面から取り外すことで、仮囲い１全体を容易に解体するできる。従って、当該解体後の仮囲い１は、そのまま次の現場において、上記と同様の方法により組み立てることで、何度でも使用することができる。尚、リベット穴、ビス穴は次回仮設時に再利用することもできる。
【００４４】
上述のように、本発明に係る仮囲い１によると、仮囲い１を構成する各部材を工事現場の天井高さや左右方向幅に合わせて、現場にて容易に組み立てることが可能であり、かつ工事終了後は、仮囲い１を容易に分解して再利用が可能であるため、当該仮囲い１を工事毎に廃棄処分にする必要がなく、工事全体のコストを低減し、省資源化を実現することができるものである。
【００４５】
また、本発明の仮囲い１によると、パネル体Ａ及び支柱４の高さを調整することにより、工事現場にて、その現場の天井高さに当該パネル体Ａ及び支柱４の高さを合わせることが可能であり、かつ左右方向にはパネル体Ａを複数並設することでその現場の左右方向幅に対応することができるため、各種の現場に適合した仮囲い１を形成することができ、従来のように現場においてパネル体，柱を切断、加工する等の手間を必要としない。
【００４６】
また、本発明のパネル体Ａは、基礎パネル２の前面側に横断面略台形状の上下方向係合溝１１〜１３を設け、アジャストパネル３の前面側に当該係合溝に係合可能な横断面略台形状の上下方向係合凸部１１’〜１３’を設け、両パネル２，３をこれら係合溝と係合凸部を以ってパネル板面に直交する方向には抜け止めされ、上下方向には摺動可能な状態で連結し得るように構成したので、基礎パネル２の後面２”とアジャストパネル３の前面３’とを非常に近接した状態で両パネル２，３を連結することが可能であるため、仮囲い１を仮設した状態で仮囲い１内側の工事現場と仮囲い１外側とを効果的に遮蔽することができ、工事現場内において各種作業により発生する粉塵等の仮囲い１外部への流出を効果的に防止することができる。
【００４７】
また上下方向突条２０ａ，２０ｂを設けて該突条２０ａ，２０ｂ後端とアジャストパネル３の前面３’が接触するように構成したので、基礎パネル後面２”とアジャストパネル３の前面３’との接触面積が小さく、両パネル２，３をスムーズに摺動させることができると共に、当該突条２０ａ，２０ｂの高さを適宜設定することにより両パネル２，３を近接配置し得て、粉塵等の仮囲い１外部への流出を効果的に防止することができる。尚、両パネル２、３間の重合部分にコーキング材を充填することで、より効果的に遮蔽することができる。
【００４８】
図１１は、本発明に係るパネル体Ａの上下方向係合溝及び上下方向係合凸部の他の実施例を示すものであり、（ａ）は上下方向係合溝１１〜１３及び上下方向係合凸部１１’〜１３’を横断面略矩形状に形成したもの、（ｂ）は上記係合溝１１〜１３及び係合凸部１１’〜１３’を横断面略円形状に形成したもの、（ｃ）は横断面略円形状の上記係合溝１１〜１３及び係合凸部１１’〜１３’にさらに平行板部１７，１７’を設けたものであり、これらの形状の係合凸部及び係合溝を有するパネル体Ａによっても、上記と同様の効果を奏し得るものである。
【００４９】
尚、上記実施形態では、各部材をアルミ等の金属板による例を示したが、これに限らず、各部材を合成樹脂板等により構成しても良い。また、上記実施形態では、支柱４を横断面略正方形状の角柱としたが、支柱の形状はこれに限らず、横断面正方形状以外の多角形状や横断面円形等の支柱であっても良い。また、アジャストパネル３の上下方向係合凸部１１’〜１３’は上記実施形態では当該パネル３の上端から下端に亙り形成したものを示したが、当該係合凸部を上下方向の直線に沿って分割して設けても良い。
【００５０】
また、上記実施形態では、基礎パネル（第１のパネル）２に対してアジャストパネル（第２のパネル）３を上下方向に摺動可能に構成したが、摺動させるのは何れのパネルでも良く、アジャストパネル３に対して基礎パネル２を摺動可能に構成しても良い。また、基礎パネル２に上下方向係合凸部１１’〜１３’を設け、アジャストパネル３に上下方向係合溝１１〜１３を設ける構成としても良い。また、支柱４は基礎角柱（第１の柱）５に対してアジャスト角柱（第２の柱）６を上下方向に摺動可能に構成したが、摺動させるのは何れの柱でも良く、アジャスト角柱６を位置決めした後、基礎角柱５をアジャスト角柱６に対して摺動させても良い。
【００５１】
【発明の効果】
以上のように、本発明に係る仮囲いによると、仮囲いを構成する各部材を現場にて容易に組み立てることが可能であり、かつ工事終了後は、仮囲いを容易に分解して再利用が可能であるため、当該仮囲いを工事毎に廃棄処分にする必要がなく、工事全体のコストを低減し、省資源化を実現することができるものである。
【００５２】
また、パネル体の高さを調整することにより、工事現場の天井高さに当該パネル体の高さを合わせることが可能であるため、各種の現場に適合した仮囲いを構成することができ、従来のように現場においてパネル体を加工する等の手間を必要としない。
【００５３】
また、第１のパネルの他面と第２のパネルの一面とを近接した状態で両パネルを連結することが可能であるため、仮囲いを仮設した状態で仮囲い内側の工事現場と仮囲い外側とを効果的に遮蔽することができ、工事現場内において各種作業により発生する粉塵等の仮囲い外部への流出を効果的に防止することができる。
【００５４】
また、支柱の高さを調整することにより、工事現場の天井高さに当該支柱の高さを合わせることが可能であるため、各種の現場に適合した仮囲いを形成することができ、従来のように現場において柱を加工する等の手間を必要としない。
【図面の簡単な説明】
【図１】本発明に係る仮囲いを示す一部切欠正面図である。
【図２】同上仮囲いの分解斜視図である。
【図３】同上仮囲いの一部断面平面図である。
【図４】図１のＥ−Ｅ線断面図である。
【図５】（ａ）はアジャストパネルの一部省略平面図、（ｂ）は基礎パネルの一部省略平面図である。
【図６】基礎パネルの背面図である。
【図７】基礎パネルとアジャストパネルの結合状態のパネル体の横断面図である。
【図８】（ａ）は図１のＦ−Ｆ線断面図、（ｂ）は図１のＧ−Ｇ線断面図、（ｃ）は図１のＩ−Ｉ線断面図である。
【図９】（ａ）は図１のＪ−Ｊ線断面図、（ｂ）は図１のＫ−Ｋ線断面図である。
【図１０】同上仮囲いの仮設状態の概略平面図である。
【図１１】（ａ）〜（ｃ）はパネル体の他の実施形態を示す当該パネル体の上下方向係合溝近傍の断面図である。
【符号の説明】
１    仮囲い
Ａ    パネル体
２    基礎パネル
２’、３’前面
２”、３”  後面
３    アジャストパネル
４    支柱
５    上面開口基礎角柱
５ａ  上面開口部
６    アジャスト角柱
８    天井側ランナー
８ａ、９ａ  折り曲げ部
９    床面側ランナー
１１〜１３  上下方向係合溝
１１ａ    側板部
１１ａ’  側部
１１ｂ    平板部
１１ｂ’  平面部
１１’〜１３’  上下方向係合凸部
２０ａ，２０ｂ  上下方向突条
【図１】
0003559775.tif 000002
【図２】
0003559775.tif 000003
【図３】
0003559775.tif 000004
【図４】
0003559775.tif 000005
【図５】
0003559775.tif 000006
【図６】
0003559775.tif 000007
【図７】
0003559775.tif 000008
【図８】
0003559775.tif 000009
【図９】
0003559775.tif 000010
【図１０】
0003559775.tif 000011
【図１１】
0003559775.tif 000012